(57)【要約】      （修正有）【課題】体温の影響を受けずに接着剤の塗布量を安定できて不良率を低減でき、作業効率を向上できて、接着剤入り塗布シリンジの位置の長さ調整と角度調整を行なえるようにする。【解決手段】断面Ｔ字形の基台部１にグリップ部２を設け、基台部に断面Ｔ字形の基台部に嵌めるＴ字溝が形成された移動台部３を水平方向に移動可能に配設し、移動台部に回動部４を介して回動可能にシリンジ保持台部５を設け、シリンジ保持台部に接着剤入り塗布シリンジ６を保持し、基台部と移動台部をビス７で固定可能とし、移動台部とシリンジ保持台部が回動部に螺入されたビスで固定可能とされ、シリンジ保持台部の両側の腕部８に接着剤入り塗布シリンジが移動可能に保持されて腕部に螺入されたビスによって接着剤入り塗布シリンジが固定可能とされ、グリップ部にスイッチ付きマジックテープ９が取り付けられてスイッチ１０がディスペンサーに配線を介して接続されている。【選択図】図１
0003129721.tif 000002
【実用新案登録請求の範囲】
【請求項１】
ディスペンサーにエアーチューブを介して接続されて内部に接着剤が充填された塗布シリンジを保持して、前記接着剤を塗布するようにした接着剤入り塗布シリンジ保持装置において、断面Ｔ字形の基台部の下側にグリップ部が設けられ、前記基台部には前記断面Ｔ字形の基台部に嵌められるＴ字溝が形成されている移動台部が水平方向に移動可能に配設され、前記移動台部の先端に回動部を介して回動可能にシリンジ保持台部が設けられ、このシリンジ保持台部に前記接着剤入り塗布シリンジが保持されるようになっており、前記基台部と移動台部がビスで固定可能とされ、前記移動台部と前記シリンジ保持台部とが前記回動部に螺入されたビスでその回動を固定可能とされ、前記シリンジ保持台部に設けられた両側の腕部に前記接着剤入り塗布シリンジが移動可能に保持されていて前記腕部に螺入されたビスによって前記接着剤入り塗布シリンジが固定可能とされ、前記グリップ部にはスイッチ付きマジックテープが取り付けられて前記スイッチが前記ディスペンサーに配線を介して接続されていることを特徴とする接着剤入り塗布シリンジ保持装置。
【請求項２】
ディスペンサーにエアーチューブを介して接続され、内部に接着剤が充填された塗布シリンジを保持して、前記接着剤を塗布するようにした接着剤入り塗布シリンジ保持装置において、基台部の下側にグリップが設けられ、前記基台部には移動台部が水平方向に移動可能且つ固定可能に配設され、前記移動台部の先端にシリンジ保持台部が回動可能且つ固定可能に設けられ、前記シリンジ保持台部上に前記接着剤入り塗布シリンジが移動可能且つ固定可能に保持され、前記グリップ部にスイッチが設けられて前記スイッチが前記ディスペンサーに配線を介して接続されていることを特徴とする接着剤入り塗布シリンジ保持装置。
【請求項３】
前記基台部に山谷形状部が連続して形成され、前記移動台部に前記基台部の山谷形状部に押接するばね部材が設けられていて、前記基台部に対して前記移動台部が水平方向に移動可能に配設されていると共に適宜位置で固定可能とされている請求項２に記載の接着剤入り塗布シリンジ保持装置。
【請求項４】
前記グリップ部には、上下移動可能なスイッチ部が設けられ、このスイッチ部は上下移動によってＯＮ・ＯＦＦされて、前記ディスペンサーからの接着剤入り塗布シリンジに対するエアーの供給を調整するようにした請求項２又は３に記載の接着剤入り塗布シリンジ保持装置。
【請求項５】
前記シリンジ保持台部には、前記接着剤入り塗布シリンジを移動可能且つ固定可能なばね性を有する腕部が設けられている請求項２、３又は４に記載の接着剤入り塗布シリンジ保持装置。
【考案の詳細な説明】
【技術分野】
【０００１】
本考案は、ディスペンサーにエアーチューブを介して接続されて内部に接着剤が充填された塗布シリンジを保持して、前記接着剤を塗布するようにした接着剤入り塗布シリンジ保持装置に関するものである。
【背景技術】
【０００２】
従来の接着剤塗布方法は、接着剤入り塗布シリンジの手元スイッチをＯＮしてディスペンサーからのエアーを供給して、接着剤を塗布するようにしていた。これは、設定された一定圧力、一定時間で接着剤が塗布されるようになっている。ところが、この従来の接着剤入り塗布シリンジを手で持って行なっていたために、シリンジ内部の接着剤に体温が伝わりやすい構造となっていた。このためにシリンジ内の接着剤の温度が変化して、接着剤の粘度が変化して接着剤の塗布量に影響してしまうという問題があった。
【０００３】
第１の従来技術を図５に示す。この従来のグルーガンは、図５に示すように、グルーガンのバルブハウジング部１１３に、前後回動自在な自在継手１１６を介して接着剤カートリッジ装着用のソケット１１７を装着する。自在継手１１６の両側面にバネとボール１２０を埋込み、ガイドブラケット１１９の内側面に一定角度間隔で穴１２１を円弧形に配置し、ボール１２０を穴１２１へ係合させてクリックストップ機構を構成する。自在継手１１６を手で前後に回動させてガンノズル１１５と接着剤カートリッジの相対角度を調節することにより、壁面上部等にも接着剤を塗布することができる。（例えば、特許文献１参照）。
【０００４】
ところが、これにおいては、ガンノズル１１５の長さ調整ができないという問題があった。
【０００５】
第２の従来技術を図６に示す。この従来の加熱性溶融粘着剤の抽出装置は、図６に示すように、抽出機２０１を、カートリッジ２０２の挿着部が層内に加熱ヒーター２１６を有する長さ方向に沿って二つ割に開閉可能な断面半円形の部材により構成したシリンダ２０６と、シリンダ２０６の前端に設けられた層内に加熱ヒーター有するノズル加熱部２０９と、シリンダ２０６の後端に設けられた押し出しロッド２１２に前後進のための回転力を与える駆動部２１１と、この駆動部２１１に回転力を伝えるモータ２１４とスイッチ２１５とを備えたホルダー２１３とにより構成する。（例えば、特許文献２参照）。
【０００６】
ところが、これにおいては、ノズル２０９ａの角度調整と長さ調整ができないという問題があった。また、これは、モーター２１４で押し出す構造であった。
【０００７】
第３の従来技術を図７に示す。この従来の塗布装置は、図７に示すように、垂直シリンジ３０３は、図示しないディスペンサーに接続され、シリンジ固定用のブランケット３０６により装置に固定されている。垂直ニードル３０５は垂直シリンジ３０３に取り付けられており、垂直ニードル３０５の先端は垂直ニードル固定用ブランケット（図示略）により固定されている。斜めニードル３１０はＣＣＤカメラ３０１の撮影視野に収まるように、斜めニードル固定用ブランケット３０９により固定されている。センサ３１８、３１９は、シリンジ固定用ブラケット３０６にシリンジ３０３、３０８を固定する際に、これらシリンジの有無を確認するセンサで垂直シリンジ３０３用のセンサ３１８と斜めシリンジ３０８用のセンサ３１９の２つのセンサを、シリンジ固定用ブランケット３０６に設置して、シリンジ３０３、３０８の取り付け状態を確認するようにしている。（例えば、特許文献３参照）。
【０００８】
ところが、この塗布装置はシリンジ３０３、３０８を保持する部材を手で持って接着剤を塗布する構造ではなかった。
【特許文献１】特開２００１−２３２２６０号公報
【特許文献２】特開２００１−２３２２６７号公報
【特許文献３】特開平１０−５６５７号公報
【考案の開示】
【考案が解決しようとする課題】
【０００９】
本考案は、上記従来の問題に鑑みてなされたものであって、体温の影響を受けることがなく、接着剤の塗布量を安定させることができて不良率を低減させることができ、工程管理回数を削減することができ、且つ作業効率を向上させることができて生産性の向上を図れ、しかも、接着剤入り塗布シリンジの配置位置の長さ調整と角度調整を行なうことができて、作業効率をより一層向上できる接着剤入り塗布シリンジ保持装置を提供することを目的としている。
【課題を解決するための手段】
【００１０】
本考案は、上記課題を解決するために提案されたものであって、請求項１に記載の考案は、ディスペンサーにエアーチューブを介して接続されて内部に接着剤が充填された塗布シリンジを保持して、前記接着剤を塗布するようにした接着剤入り塗布シリンジ保持装置において、断面Ｔ字形の基台部の下側にグリップ部が設けられ、前記基台部には前記断面Ｔ字形の基台部に嵌められるＴ字溝が形成されている移動台部が水平方向に移動可能に配設され、前記移動台部の先端に回動部を介して回動可能にシリンジ保持台部が設けられ、このシリンジ保持台部に前記接着剤入り塗布シリンジが保持されるようになっており、前記基台部と移動台部がビスで固定可能とされ、前記移動台部と前記シリンジ保持台部とが前記回動部に螺入されたビスでその回動を固定可能とされ、前記シリンジ保持台部に設けられた両側の腕部に前記接着剤入り塗布シリンジが移動可能に保持されていて前記腕部に螺入されたビスによって前記接着剤入り塗布シリンジが固定可能とされ、前記グリップ部にはスイッチ付きマジックテープが取り付けられて前記スイッチが前記ディスペンサーに配線を介して接続されていることを特徴としている。
【００１１】
請求項２に記載の考案は、ディスペンサーにエアーチューブを介して接続され、内部に接着剤が充填された塗布シリンジを保持して、前記接着剤を塗布するようにした接着剤入り塗布シリンジ保持装置において、基台部の下側にグリップが設けられ、前記基台部には移動台部が水平方向に移動可能且つ固定可能に配設され、前記移動台部の先端にシリンジ保持台部が回動可能且つ固定可能に設けられ、前記シリンジ保持台部上に前記接着剤入り塗布シリンジが移動可能且つ固定可能に保持され、前記グリップ部にスイッチが設けられて前記スイッチが前記ディスペンサーに配線を介して接続されていることを特徴としている。
【００１２】
請求項３に記載の考案は、請求項２に記載の考案において、前記基台部に山谷形状部が連続して形成され、前記移動台部に前記基台部の山谷形状部に押接するばね部材が設けられていて、前記基台部に対して前記移動台部が水平方向に移動可能に配設されていると共に適宜位置で固定可能とされている。
【００１３】
請求項４に記載の考案は、請求項２又は３に記載の考案において、前記グリップ部には、上下移動可能なスイッチ部が設けられ、このスイッチ部は上下移動によってＯＮ・ＯＦＦされて、前記ディスペンサーからの接着剤入り塗布シリンジに対するエアーの供給を調整するようにした。
【００１４】
請求項５に記載の考案は、請求項２、３又は４に記載の考案において、前記シリンジ保持台部には、前記接着剤入り塗布シリンジを移動可能且つ固定可能なばね性を有する腕部が設けられている。
【考案の効果】
【００１５】
請求項１に記載の考案によれば、接着剤入り塗布シリンジをシリンジ保持台部で保持し、このシリンジ保持台部を移動台部に回動可能に取り付け、移動台部を基台部に設置してこの基台部に設けられたグリップ部を持ってスイッチをＯＮ・ＯＦＦすることによって接着剤の塗布を行なうことができることにより、接着剤入り塗布シリンジを手に持たなくてもよいから、接着剤が体温の影響を受けることがなく、接着剤の塗布量を安定させることができる。このことにより、不良率を低減させることができ、工程管理回数を削減することができて作業効率を向上させることができ、生産性の向上を図ることができる。また、移動台部を基台部に水平方向に移動可能に配設して長さ調整を行なうことができ、移動台部の先端の回動部を介してシリンジ保持台部を回動可能に配設したから、角度調整を行なうことができる。更に、各部の固定をビスで行なったので、構造を簡単化することができる。また、グリップ部に取り付けられたスイッチ付きマジックテープのスイッチを人差し指でＯＮ・ＯＦＦすることで、ディスペンサーから接着剤入り塗布シリンジにエアーを供給して接着剤を塗布できるから、操作が簡単であり、作業効率を向上することができる。
【００１６】
請求項２に記載の考案によれば、接着剤入り塗布シリンジをシリンジ保持台部で保持し、このシリンジ保持台部を移動台部に回動可能に取り付け、移動台部を基台部に設置してこの基台部に設けられたグリップ部を持ってスイッチをＯＮ・ＯＦＦすることによって接着剤の塗布を行なうことができることにより、接着剤入り塗布シリンジを手に持たなくてもよいから、接着剤が体温の影響を受けることがなく、接着剤の塗布量を安定させることができる。このことにより、不良率を低減させることができ、工程管理回数を削減することができて作業効率を向上させることができ、生産性の向上を図ることができる。また、基台部に移動台部を移動可能に配設したから、長さ調整を簡単に行なうことができ、しかも、移動台部にシリンジ保持台部を回動可能に設けたので、角度調整を容易に行なうことができる。しかも、グリップ部にスイッチを設けたから、このスイッチを人差し指でＯＮ・ＯＦＦすることができて操作が簡単であり、作業効率を高めることができる。
【００１７】
請求項３に記載の考案によれば、基台部に連続して形成された山谷形状部に、移動台部に設けられたばね部材を押接するように構成したから、移動台部の水平方向への移動を容易に行なうことができるとともに、所望の長さ位置で移動台部を固定することができる。
【００１８】
請求項４に記載の考案によれば、グリップ部に上下移動可能なスイッチ部を設けたので、このスイッチ部を簡単にＯＮ・ＯＦＦすることができて、ディスペンサーから塗布シリンジにエアーを供給あるいは停止することにより、接着剤の塗布の調整を簡単に行うことができる。
【００１９】
請求項５に記載の考案によれば、シリンジ保持台部に設けたばね性を有する腕部によって塗布シリンジを移動且つ固定可能にしたから、塗布シリンジをシリンジ保持台部に対して簡単に移動できるとともに簡単に固定することができ、作業効率を高めることができると共に構造を簡単化することができる。
【考案を実施するための最良の形態】
【００２０】
以下、本考案に係る接着剤入り塗布シリンジ保持構造について、図を参照しつつ説明する。
【００２１】
図１は本考案の接着剤入り塗布シリンジ保持構造を示し、（ａ）はその斜視図、（ｂ）はその基台部と移動台部の嵌め合い状態を示す縦断面図である。
【００２２】
本実施形態の接着剤入り塗布シリンジ保持装置は図１（ａ）（ｂ）に示すように断面Ｔ字形の基台部１の下側にグリップ部２が設けられ、断面Ｔ字形の基台部に嵌められるＴ字溝３ａが形成された移動台部３が水平方向に移動可能に配設されている。この移動台部３の回動部４を介して回動可能にシリンジ保持台部５が設けられ、このシリンジ保持台部５に接着剤入り塗布シリンジ６が保持されている。更に基台部１と移動台部３がビス７で固定可能にされ、移動台部３とシリンジ保持台部５と回動部４に螺入されたビス７で固定可能にされている。また、シリンジ保持台部５に設けられた両側の腕部８に接着剤入り塗布シリンジ６が移動可能に保持されて腕部８に螺入されたビス７によって接着剤入り塗布シリンジ６が固定可能とされている。グリップ部２にはスイッチ付きマジックテープ９が取り付けられていてスイッチ１０がディスペンサー（図示略）に配線（図示略）を介して接続されている。回動部４はシリンジ保持台部５の先端が二股状に形成され、円孔５ａが設けられた支持腕部５ｂの円孔５ａに移動台部３の先端に両側に突設された円状突出部３ｂが嵌め入れられて回動可能に支持されている。
【００２３】
本実施形態によれば、接着剤入り塗布シリンジ６をシリンジ保持台部５で保持し、このシリンジ保持台部５を移動台部３に回動可能に取り付け、移動台部３を基台部１に設置してこの基台部１に設けられたグリップ部２を持ってスイッチ１０をＯＮ・ＯＦＦすることによって接着剤の塗布を行なうことができることにより、接着剤入り塗布シリンジ６を手に持たなくてもよいから、接着剤が体温の影響を受けることがなく、接着剤の塗布量を安定させることができる。このことにより、不良率を低減させることができ、工程管理回数を削減することができて作業効率を向上させることができ、生産性の向上を図ることができる。また、移動台部３を基台部１に水平方向に移動可能に配設して長さ調整を行なうことができ、移動台部３の先端の回動部４を介してシリンジ保持台部５を回動可能に配設したから、角度調整を行なうことができる。更に、各部の固定をビス７で行なったので、構造を簡単化することができる。また、グリップ部２に取り付けられたスイッチ付きマジックテープ９のスイッチ１０を人差し指でＯＮ・ＯＦＦすることで、ディスペンサーから接着剤入り塗布シリンジ６にエアーを供給して接着剤を塗布できるから、操作が簡単であり、作業効率を向上することができる。
【００２４】
図２は別例の基台部と移動台部の嵌め合い状態を示す横断面図である。
【００２５】
図２に示すように、基台部１の両側に山谷形状部１ａが連続して形成され、移動台部３に基台部１の山谷形状部１ａに押接し、先端が円状に巻回されたばね部材１１が設けられている。従って、移動台部３の水平方向への移動を容易に行なうことができるとともに、所望の長さ位置で移動台部３を固定することができる。
【００２６】
図３はグリップ部に別例のスイッチを設けた一部断面斜視図である。
【００２７】
図３に示すように、グリップ部２には、上下移動可能なスイッチ部１２が設けられ、このスイッチ部１２は上下移動によってＯＮ・ＯＦＦされて、ディスペンサーからの接着剤入り塗布シリンジ６に対するエアーの供給を調整するようにしている。従って、グリップ部２に上下移動可能なスイッチ部１２を設けたので、このスイッチ部１２を簡単にＯＮ・ＯＦＦすることができて、ディスペンサーから塗布シリンジ６にエアーを供給あるいは停止することにより、接着剤の塗布の調整を簡単に行うことができる。
【００２８】
図４は別例のシリンジ保持台部に接着剤入り塗布シリンジを保持した状態の縦断面図である。
【００２９】
図４に示すように、シリンジ保持台部５には、接着剤入り塗布シリンジ６を移動可能且つ固定可能なばね性を有する腕部１３が設けられている。従って、シリンジ保持台部５に設けたばね性を有する腕部１３によって塗布シリンジ６を移動且つ固定可能にしたから、塗布シリンジ６をシリンジ保持台部５に対して簡単に移動できるとともに簡単に固定することができ、作業効率を高めることができると共に構造を簡単化することができる。
【００３０】
尚、本考案の接着剤入り塗布シリンジ保持装置を合成樹脂で形成すると、軽量で持ち運びが行いやすい利点がある。
【図面の簡単な説明】
【００３１】
【図１】本考案の接着剤入り塗布シリンジ保持構造を示し、（ａ）はその斜視図、（ｂ）はその基台部と移動台部の嵌め合い状態を示す縦断面図である。
【図２】別例の基台部と移動台部の嵌め合い状態を示す横断面図である。
【図３】グリップ部に別例のスイッチを設けた一部断面斜視図である。
【図４】別例のシリンジ保持台部に接着剤入り塗布シリンジを保持した状態の縦断面図である。
【図５】従来のグルーガンの側面図である。
【図６】従来の加熱性溶融粘着剤抽出装置における抽出機の構成を示す断面図である。
【図７】従来の銀ペースト塗布装置の側面図である。
【符号の説明】
【００３２】
１        基台部
１ａ      山谷形状部
２        グリップ部
３        移動台部
３ａ      Ｔ字溝
３ｂ      円状突出部
４        回動部
５        シリンジ保持台部
５ａ      円孔
５ｂ      支持腕部
６        接着剤入り塗布シリンジ
７        ビス
８        腕部
９        スイッチ付きマジックテープ
１０      スイッチ
１１      ばね部材
１２      スイッチ部
１３      腕部
【図１】
0003129721.tif 000003
【図２】
0003129721.tif 000004
【図３】
0003129721.tif 000005
【図４】
0003129721.tif 000006
【図５】
0003129721.tif 000007
【図６】
0003129721.tif 000008
【図７】
0003129721.tif 000009
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
ディスペンサーにエアーチューブを介して接続されて内部に接着剤が充填された塗布シリンジを保持して、前記接着剤を塗布するようにした接着剤入り塗布シリンジ保持装置において、断面Ｔ字形の基台部の下側にグリップ部が設けられ、前記基台部には前記断面Ｔ字形の基台部に嵌められるＴ字溝が形成されている移動台部が水平方向に移動可能に配設され、前記移動台部の先端に回動部を介して回動可能にシリンジ保持台部が設けられ、このシリンジ保持台部に前記接着剤入り塗布シリンジが保持されるようになっており、前記基台部と移動台部がビスで固定可能とされ、前記移動台部と前記シリンジ保持台部とが前記回動部に螺入されたビスでその回動を固定可能とされ、前記シリンジ保持台部に設けられた両側の腕部に前記接着剤入り塗布シリンジが移動可能に保持されていて前記腕部に螺入されたビスによって前記接着剤入り塗布シリンジが固定可能とされ、前記グリップ部にはスイッチ付き面ファスナーが取り付けられて前記スイッチが前記ディスペンサーに配線を介して接続されていることを特徴とする接着剤入り塗布シリンジ保持装置。
【請求項２】
ディスペンサーにエアーチューブを介して接続され、内部に接着剤が充填された塗布シリンジを保持して、前記接着剤を塗布するようにした接着剤入り塗布シリンジ保持装置において、基台部の下側にグリップが設けられ、前記基台部には移動台部が水平方向に移動可能且つ固定可能に配設され、前記移動台部の先端にシリンジ保持台部が回動可能且つ固定可能に設けられ、前記シリンジ保持台部上に前記接着剤入り塗布シリンジが移動可能且つ固定可能に保持され、前記グリップ部にスイッチが設けられて前記スイッチが前記ディスペンサーに配線を介して接続されていることを特徴とする接着剤入り塗布シリンジ保持装置。
【請求項３】
前記基台部に山谷形状部が連続して形成され、前記移動台部に前記基台部の山谷形状部に押接するばね部材が設けられていて、前記基台部に対して前記移動台部が水平方向に移動可能に配設されていると共に適宜位置で固定可能とされている請求項２に記載の接着剤入り塗布シリンジ保持装置。
【請求項４】
前記グリップ部には、上下移動可能なスイッチ部が設けられ、このスイッチ部は上下移動によってＯＮ・ＯＦＦされて、前記ディスペンサーからの接着剤入り塗布シリンジに対するエアーの供給を調整するようにした請求項２又は３に記載の接着剤入り塗布シリンジ保持装置。
【請求項５】
前記シリンジ保持台部には、前記接着剤入り塗布シリンジを移動可能且つ固定可能なばね性を有する腕部が設けられている請求項２、３又は４に記載の接着剤入り塗布シリンジ保持装置。
【手続補正２】
【補正対象書類名】明細書
【補正対象項目名】００１０
【補正方法】変更
【補正の内容】
【００１０】  本考案は、上記課題を解決するために提案されたものであって、請求項１に記載の考案は、ディスペンサーにエアーチューブを介して接続されて内部に接着剤が充填された塗布シリンジを保持して、前記接着剤を塗布するようにした接着剤入り塗布シリンジ保持装置において、断面Ｔ字形の基台部の下側にグリップ部が設けられ、前記基台部には前記断面Ｔ字形の基台部に嵌められるＴ字溝が形成されている移動台部が水平方向に移動可能に配設され、前記移動台部の先端に回動部を介して回動可能にシリンジ保持台部が設けられ、このシリンジ保持台部に前記接着剤入り塗布シリンジが保持されるようになっており、前記基台部と移動台部がビスで固定可能とされ、前記移動台部と前記シリンジ保持台部とが前記回動部に螺入されたビスでその回動を固定可能とされ、前記シリンジ保持台部に設けられた両側の腕部に前記接着剤入り塗布シリンジが移動可能に保持されていて前記腕部に螺入されたビスによって前記接着剤入り塗布シリンジが固定可能とされ、前記グリップ部にはスイッチ付き面ファスナーが取り付けられて前記スイッチが前記ディスペンサーに配線を介して接続されていることを特徴としている。
【手続補正３】
【補正対象書類名】明細書
【補正対象項目名】００１５
【補正方法】変更
【補正の内容】
【００１５】  請求項１に記載の考案によれば、接着剤入り塗布シリンジをシリンジ保持台部で保持し、このシリンジ保持台部を移動台部に回動可能に取り付け、移動台部を基台部に設置してこの基台部に設けられたグリップ部を持ってスイッチをＯＮ・ＯＦＦすることによって接着剤の塗布を行なうことができることにより、接着剤入り塗布シリンジを手に持たなくてもよいから、接着剤が体温の影響を受けることがなく、接着剤の塗布量を安定させることができる。このことにより、不良率を低減させることができ、工程管理回数を削減することができて作業効率を向上させることができ、生産性の向上を図ることができる。また、移動台部を基台部に水平方向に移動可能に配設して長さ調整を行なうことができ、移動台部の先端の回動部を介してシリンジ保持台部を回動可能に配設したから、角度調整を行なうことができる。更に、各部の固定をビスで行なったので、構造を簡単化することができる。また、グリップ部に取り付けられたスイッチ付き面ファスナーのスイッチを人差し指でＯＮ・ＯＦＦすることで、ディスペンサーから接着剤入り塗布シリンジにエアーを供給して接着剤を塗布できるから、操作が簡単であり、作業効率を向上することができる。
【手続補正４】
【補正対象書類名】明細書
【補正対象項目名】００２２
【補正方法】変更
【補正の内容】
【００２２】  本実施形態の接着剤入り塗布シリンジ保持装置は図１（ａ）（ｂ）に示すように断面Ｔ字形の基台部１の下側にグリップ部２が設けられ、断面Ｔ字形の基台部に嵌められるＴ字溝３ａが形成された移動台部３が水平方向に移動可能に配設されている。この移動台部３の回動部４を介して回動可能にシリンジ保持台部５が設けられ、このシリンジ保持台部５に接着剤入り塗布シリンジ６が保持されている。更に基台部１と移動台部３がビス７で固定可能にされ、移動台部３とシリンジ保持台部５と回動部４に螺入されたビス７で固定可能にされている。また、シリンジ保持台部５に設けられた両側の腕部８に接着剤入り塗布シリンジ６が移動可能に保持されて腕部８に螺入されたビス７によって接着剤入り塗布シリンジ６が固定可能とされている。グリップ部２にはスイッチ付き面ファスナー９が取り付けられていてスイッチ１０がディスペンサー（図示略）に配線（図示略）を介して接続されている。回動部４はシリンジ保持台部５の先端が二股状に形成され、円孔５ａが設けられた支持腕部５ｂの円孔５ａに移動台部３の先端に両側に突設された円状突出部３ｂが嵌め入れられて回動可能に支持されている。
【手続補正５】
【補正対象書類名】明細書
【補正対象項目名】００２３
【補正方法】変更
【補正の内容】
【００２３】  本実施形態によれば、接着剤入り塗布シリンジ６をシリンジ保持台部５で保持し、このシリンジ保持台部５を移動台部３に回動可能に取り付け、移動台部３を基台部１に設置してこの基台部１に設けられたグリップ部２を持ってスイッチ１０をＯＮ・ＯＦＦすることによって接着剤の塗布を行なうことができることにより、接着剤入り塗布シリンジ６を手に持たなくてもよいから、接着剤が体温の影響を受けることがなく、接着剤の塗布量を安定させることができる。このことにより、不良率を低減させることができ、工程管理回数を削減することができて作業効率を向上させることができ、生産性の向上を図ることができる。また、移動台部３を基台部１に水平方向に移動可能に配設して長さ調整を行なうことができ、移動台部３の先端の回動部４を介してシリンジ保持台部５を回動可能に配設したから、角度調整を行なうことができる。更に、各部の固定をビス７で行なったので、構造を簡単化することができる。また、グリップ部２に取り付けられたスイッチ付き面ファスナー９のスイッチ１０を人差し指でＯＮ・ＯＦＦすることで、ディスペンサーから接着剤入り塗布シリンジ６にエアーを供給して接着剤を塗布できるから、操作が簡単であり、作業効率を向上することができる。
【手続補正６】
【補正対象書類名】明細書
【補正対象項目名】００３２
【補正方法】変更
【補正の内容】
【００３２】１        基台部１ａ      山谷形状部２        グリップ部３        移動台部３ａ      Ｔ字溝３ｂ      円状突出部４        回動部５        シリンジ保持台部５ａ      円孔５ｂ      支持腕部６        接着剤入り塗布シリンジ７        ビス８        腕部９        スイッチ付き面ファスナー１０      スイッチ１１      ばね部材１２      スイッチ部１３      腕部